(57)【要約】【課題】多くの水産業者を悩ませる赤潮を、従前のような元来海水中に含まれない人口の薬剤を使用することなく、発生そのものを防除する方法を提供する。【解決手段】薬品等を一切使用せず、酸素を撹拌させた水温の低い地下水を海水に投入することで海水層の垂直混合を起こし、水温の上昇と富栄養化状態を阻止する本装置で、赤潮の発生を防除することを特徴とする。【選択図】図１２
2016158616.tif 000002
【特許請求の範囲】
【請求項１】
酸素を撹拌させた水温の低い地下水を海水に投入し、水温の上昇と富栄養化状態を阻止し、海水層の垂直混合を起こすことで赤潮の発生を防除する赤潮対策装置。
【発明の詳細な説明】
【技術分野】
【０００１】  この発明は、水産物の収穫海域、および養殖海域等における赤潮による被害を防除又は低減させることを目的とした、赤潮の防除方法及び装置に関する。
【背景技術】
【０００２】  従前より多くの水産業者を悩ませ、特許公報を拝見するだけでも数多くの対策法が思案されているところであるが、従来の赤潮対策は、微生物薬剤を使用するもの、高度不飽和脂肪酸を使用するもの又は塩類と有機酸を混用するものなどが知られており、夫々一定の効果を示している。（以下特許公報、特開２００５−６０２９０より一部抜粋）
【発明の概要】
【発明が解決しようとする課題】
【０００３】  従前のような元来海水中に含まれない人口の薬剤を使用する場合には、海域の環境破壊を生じるおそれがあり、赤潮は防除できても海中の有用生物に悪影響を与える恐れがあった。また、大量に散布する必要もあったため、多額の費用と手間がかかる。【０００４】  そこで、海域の環境に悪影響を与えることなく、従前のような発生した赤潮の駆除法でもない、赤潮そのものの発生を防除しようとするものである。【０００５】  日本における赤潮被害は、シャットネラなど藻類の異常発生によるものと言われており、その発生そのものを防除することで、漁業被害が激減する。【０００６】  その原因の第１は、水中の低温水層が前記藻類の発芽適温（２０度前後）に達すること、第２は窒素、リン等の栄養塩が富栄養化状態であること、第３は、表層部で硅藻や渦鞭毛藻などの植物プランクトンが優先種となって表層部の栄養塩がなくなるまで増殖することである。表層部の栄養塩がなくなり、海上が穏やかで海水の垂直混合が起こらず、栄養塩の成層が赤潮の生育活動水深より浅くなると、赤潮が発生することが知られている。【０００７】  したがって、少なくとも第１、第２、第３のいずれか１つでも条件に達成するのを阻止すれば、赤潮の発生を防除することができると言われている。
【課題を解決するための手段】
【０００８】  この発明は、薬品等一切使わず、前記第１の水温の上昇と、第２の富栄養化状態の阻止、海水層の垂直混合を同時に起こすことで、赤潮発生防除に成功したものである。【０００９】  赤潮の発生は、水温の高い６月〜９月に多く、６０％程度がこの時期に発生する。梅雨の時期の晴れ間や、晴天時に特に注意が必要となる。【００１０】  そこでこの発明は、海水ではなく、水温の低い地下水を使用する。（多少の塩の含有は可。）【００１１】  海水中の温度を低下させることと、栄養を含まない地下水を本発明の装置から投入することで、海面に垂直混合を起こし、富栄養化状態を阻止しようとする、いたってシンプルかつ正確な防除法である。
【発明の効果】
【００１２】  赤潮は前項藻類の増殖により発生し、海水中の酸素を消費して酸欠状態を生じ、水中の生物、他の藻類を死滅させるものであるが、この方法により藻類の増殖を抑え、地下水に酸素を混ぜ込むことで水中の生物に酸素の供給もできるため、有用生物の死滅も阻止することができる。
【発明を実施するための形態】
【００１３】  以下、本発明を実施するための形態について詳細に説明する。
【００１４】  図１の通り、井戸を掘り、地下水を汲み上げる。
【００１５】  図２により汲み上げた地下水を４−１の通水管から通水し、また１４の通気管からは酸素を送り込み、８の通水気板、９の金網を撹拌機で酸素を撹拌させながら通過させ、酸素を含ませた地下水を４−２の通水管から送り出す。
【００１６】  図３は図２のＡ部の横断面である。粗目の通水気孔が等間隔にあり、通水気板は、円柱型の酸素撹拌装置の内径に沿って設置できるよう、４分割となっている。
【００１７】  図４は図２のＢ部の横断面である。細目の金網を用い、酸素をより細かく砕く。金網もまた、４分割となっている。
【００１８】  図５は図２のＣ部の横断面である。この撹拌機にも穴を等間隔に開けることで、酸素をより細かく砕き、水中に更に撹拌させることができる。また、これにより水の抵抗も抑えることができ、電力コストの削減にも繋がる。
【００１９】  図６は酸素撹拌装置の天井部である。２９の搬入口より各装置の搬入・清掃等行う。
【００２０】  図７は赤潮対策・酸素撹拌装置から酸素供給装置への接続部である。１９のラバーホース・２０のパイプ・２１の浮きを用い、酸素供給装置へ水を送り出す。本図では生け簀を２つ構え、大には成魚、小には幼魚の成育を行うと想定した場合の例としている。
【００２１】  図８は酸素供給装置である。規模により調整が必要であるが、１６ｍｍ〜３０ｍｍの細めのホースを想定している。太めのホースを使用すると、海水と経年劣化により硬化し、水中の有用生物を傷つけてしまうためである。
【００２２】  垂下させたホースは全長５〜６ｍ。三段階に長さを変えることで、海水各層に均一に酸素を供給することができる。
【００２３】  図９は図８の縦断面である。ドーム型の部分に溜まった水をホースから放出する。
【００２４】  ａには等間隔の配水管があり、ｂにもまた等間隔の孔があり、ホースはｂに固定されている。ホースをａに固定せず、板をｂと分割するのは、ここでもまた水に酸素を供給させるためである。ａとｂは密着させないことがポイントであり、水の落差で空気を更に引き込む原理としている。
【００２５】  図１０は図９の横断面である。ａはｂに固定したホースの内径よりも細い管が等間隔に並び、ｂもまたホース同士が密着しないよう等間隔にしておく。
【００２６】  図１１は供給装置全体の概念図である。２７の浮きを用いて装置を海面で停留させる。ホースを２８の金属の結束帯で固定し、拡がりを抑え、海水各層に均一に供給できるようにしている。
【００２７】  本発明は以上のような構造である。図１２が、酸素撹拌装置・酸素供給装置の全貌となる。
【図面の簡単な説明】
【図１】井戸
【図２】赤潮対策・酸素撹拌装置の縦断面概念図
【図３】同じく、横断面概念図Ａ
【図４】同じく、横断面概念図Ｂ
【図５】同じく、横断面概念図Ｃ
【図６】同じく、天井部概念図
【図７】赤潮対策・酸素撹拌装置から酸素供給装置への接続部概念図
【図８】赤潮対策・酸素供給装置の側面概念図
【図９】同じく、縦断面概念図
【図１０】同じく、横断面概念図
【図１１】同じく、全体概念図
【図１２】赤潮対策・酸素撹拌装置と酸素供給装置全体図
【符号の簡単な説明】
１  井戸
２  ポンプ
３  コンプレッサー
４−１、４−２、４−３  通水管
５  モーター
６  プゥリン
７  撹拌機
８  通水気板
９  金網
１０  ベアリング
１１  フランジ
１２  バルブ
１３  ボルト・パッキン
１４  通気管
１５  覗き窓
１６  スイッチ・配電盤
１７  ベルト
１８  プロペラ型撹拌機
１９  ラバーホース
２０  パイプ
２１  浮き（俵型）
２２  ホース（１６ｍｍ〜３０ｍｍ）
２３  ロープ
２４  木製枠
２５  アングル
２６  ボルト・ナット
２７  浮き（球型）
２８  結束帯
２９  搬入口
３０  カバー
【図１】
2016158616.tif 000003
【図２】
2016158616.tif 000004
【図３】
2016158616.tif 000005
【図４】
2016158616.tif 000006
【図５】
2016158616.tif 000007
【図６】
2016158616.tif 000008
【図７】
2016158616.tif 000009
【図８】
2016158616.tif 000010
【図９】
2016158616.tif 000011
【図１０】
2016158616.tif 000012
【図１１】
2016158616.tif 000013
【図１２】
2016158616.tif 000014